(57)【要約】【課題】接続端子を覆う部分の回動が安定してスムースに行え、且つ装飾性を備えた携帯用携帯情報機器用充電器を提供する。【解決手段】本発明は、上方に接続端子１５を下方に差込みコンセントＢを有する直方体状の本体部１と該本体部１に回動可能に取り付けられた装飾部２とよりなる携帯情報機器用充電器Ａであって、装飾部２の回動によって接続端子１５を露出状態と覆い状態とに切り替えが可能となっている携帯情報機器用充電器Ａに存する。【選択図】図１
2015231300.tif 000002
【特許請求の範囲】
【請求項１】
上方に接続端子を下方に差込みコンセントを有する直方体状の本体部と該本体部に回動可能に取り付けられた装飾部とよりなる携帯情報機器用充電器であって、装飾部の回動によって接続端子を露出状態と覆い状態とに切り替えが可能となっていることを特徴とする携帯情報機器用充電器。
【請求項２】
装飾部の内壁面は上側の内壁面と左側及び右側の内壁面と後側の内壁面との４つの内壁面で形成されており、この４つの内壁面で囲まれる空間に本体部の頭部が装着されていることを特徴とする請求項１記載の携帯情報機器用充電器。
【請求項３】
装飾部の左側及び右側の内壁面には、支持穴を有するガイド長溝が設けられており、本体部の頭部の左右の側壁面には、該支持穴に嵌まり込む支持軸が設けられていることを特徴とする請求項２記載の携帯情報機器用充電器。
【請求項４】
装飾部の左側及び右側の内壁面には、前記支持穴を有するガイド長溝及び弧状浅溝が設けられており、本体部の頭部の左右の側壁面には、該弧状浅溝に嵌まり込む小突起が設けられていることを特徴とする請求項２記載の携帯情報機器用充電器。
【請求項５】
弧状の浅溝は、支持穴から半径Ｌの円周上にあり、支持軸と小突起の距離は、上記半径Ｌに等しいことを特徴とする請求項４記載の携帯情報機器用充電器。
【請求項６】
弧状の浅溝の両端には、第１浅穴と第２浅穴とが設けられており、これらに小突起が嵌まり込むことで、露出状態と覆い状態とに区別されるものであることを特徴とする請求項１記載の携帯情報機器用充電器。
【請求項７】
ガイド長溝が盛り上がり部に形成されていることを特徴とする請求項４記載の携帯情報機器用充電器。
【請求項８】
本体部に安定を良くするための拡大部を設けたことを特徴とする請求項１記載の携帯情報機器用充電器。
【請求項９】
装飾部がキャラクタ形態を備えたものであることを特徴とする請求項１〜８のいずれか１項に記載の携帯情報機器用充電器。
【発明の詳細な説明】
【技術分野】
【０００１】
本発明は、携帯電話等の携帯情報機器に充電するための携帯情報機器用充電器に関し、更に詳しくは、装飾部の回動によって接続端子を露出状態と覆い状態とに切り替えが可能である携帯情報機器用充電器に関する。
【背景技術】
【０００２】
現在、携帯電話、スマートフォン等の持ち歩き用の携帯情報機器が広く使われるようになった。
これらは、小型でインターネットや電話等の種々の機能を発揮する部分の領域が大きいため充電部が必ずしも十分完備されていない。
従って、充電する回数が頻繁となり、そのための携帯用の小型の充電器が種々開発されている（特許文献１）。
【０００３】
これらは小型で嵩張らないために収納や持ち運びが簡単であり、必要な時に自由に、例えば鞄から出して使用することができる。
このような携帯用の携帯情報機器用充電器としては、例えば、特許文献２にあるような充電源装置が提供されている。
この装置は複数種類の電子機器に接続するための複数種類の充電コネクタを狭いスペースに配置して構成パーツを少なくして小型軽量化を可能としたもので、電子機器と充電器の組み合わせが任意に選択できる利点がある。
【０００４】
しかし充電コネクタの収納部を覆う蓋部が設けられており、充電コネクタへの防塵機能も備えている。
しかし充電コネクタを覆う蓋部は、本体にヒンジ部を介して取り付けられており、該ヒンジ部と相対する端部に設けられた係合部が、本体の側面の上部に係合して不用意な開きを防止するものである。
しかし、蓋がヒンジ部だけにより回動するので、蓋の動きが必ずしも安定したスムースな動きとならない。長期間使うとガタ等が生じることもある。
【０００５】
一方、このような携帯情報機器用充電器は、外形が無味乾燥なものであることから、装飾性を備えた携帯情報機器用充電器も開発されている。
例えば、特許文献３にあるストラップ型携帯端末用充電器は、立体状のキャラクタを表現する全体形状となっており装飾機能を付与したものである。
しかし、電源接続部と反対側にあるコネクタ部はコードを介して外部に伸びており、端子の部分が露出している。
従って、そこに埃等が入り易く、また何かにぶつかった場合にその部分が損傷し易い。
【先行技術文献】
【特許文献】
【０００６】
【特許文献１】特開２００８―１７２９５４号公報
【特許文献２】特開２０１１−１８２５６６号公報
【特許文献３】特開２００９−１７７９９６号公報
【発明の概要】
【発明が解決しようとする課題】
【０００７】
本発明は、このような問題点を解決するものである。
すなわち本発明の目的は、接続端子を覆う部分の回動が安定してスムースに行え、且つ装飾性を備えた携帯用携帯情報機器用充電器を提供することである。
【課題を解決するための手段】
【０００８】
本発明者は、上記課題を解決するため鋭意検討したところ、装飾部２を利用して接続端子１５を露出又は覆い状態にすることで、上記問題点を解決できることを見出し、本発明を完成させるに至った。
【０００９】
本発明は、（１）、上方に接続端子を下方に差込みコンセントを有する直方体状の本体部と該本体部に回動可能に取り付けられた装飾部とよりなる携帯情報機器用充電器であって、装飾部の回動によって接続端子を露出状態と覆い状態とに切り替えが可能となっている携帯情報機器用充電器に存する。
【００１０】
本発明は、（２）、装飾部の内壁面は上側の内壁面と左側及び右側の内壁面と後側の内壁面との４つの内壁面で形成されており、この４つの内壁面で囲まれる空間に本体部の頭部が装着されている上記（１）記載の携帯情報機器用充電器。
【００１１】
本発明は、（３）、装飾部の左側及び右側の内壁面には、支持穴を有するガイド長溝が設けられており、本体部の頭部の左右の側壁面には、該支持穴に嵌まり込む支持軸が設けられている上記（２）記載の携帯情報機器用充電器に存する。
【００１２】
本発明は、（４）、装飾部の左側及び右側の内壁面には、前記支持穴を有するガイド長溝及び弧状浅溝が設けられており、本体部の頭部の左右の側壁面には、該弧状浅溝に嵌まり込む小突起が設けられている上記（２）記載の携帯情報機器用充電器に存する。
【００１３】
本発明は、（５）、弧状の浅溝は、支持穴から半径Ｌの円周上にあり、支持軸と小突起の距離は、上記半径Ｌに等しい上記（４）記載の携帯情報機器用充電器に存する。
【００１４】
本発明は、（６）、弧状の浅溝の両端には、第１浅穴と第２浅穴とが設けられており、これらに小突起が嵌まり込むことで、露出状態と覆い状態とに区別されるものである上記（１）記載の携帯情報機器用充電器に存する。
【００１５】
本発明は、（７）、ガイド長溝が盛り上がり部に形成されている上記（４）記載の携帯情報機器用充電器に存する。
【００１６】
本発明は、（８）、本体部に安定を良くするための拡大部を設けた上記（１）記載の携帯情報機器用充電器に存する。
【００１７】
本発明は、（９）、装飾部がキャラクタ形態を備えたものである上記（１）〜（８）のいずれか１項に記載の携帯情報機器用充電器に存する。
【発明の効果】
【００１８】
１）本発明の携帯情報機器用充電器は、上方に接続端子を下方に差込みコンセントを有する直方体状の本体部と該本体部に回動可能に取り付けられた装飾部とよりなる携帯情報機器用充電器であって、装飾部の回動によって接続端子を露出状態と覆い状態とに切り替えが可能となっているので、使用しない時(充電しない時)は接続端子が装飾部により覆われているので、ゴミ等が入らず、不用意に他の物に当って損傷するようなことがない。
使用する時のみ装飾部を回動させて接続端子を露出状態にして充電すればよいので、切り替えが極めて簡単である。
また装飾部が上方に位置するので装飾性のある携帯情報機器用充電器となる。
【００１９】
２）装飾部の内壁面は上側の内壁面と左側及び右側の内壁面と後側の内壁面との４つの内壁面で形成されており、この４つの内壁面で囲まれる空間に本体部の頭部が装着されていることにより装飾部２の取り付けが確実なものとなる。
【００２０】
３）装飾部の左側及び右側の内壁面には、支持穴を有するガイド長溝が設けられており、本体部の頭部の左右の側壁面には、該支持穴に嵌まり込む支持軸が設けられていることにより、支持軸がガイド長溝を通って支持穴に嵌め込むことができるため単なる押し込み動作により取り付けが簡単にできる。
【００２１】
４）装飾部の左側及び右側の内壁面には、弧状浅溝が設けられており、本体部の頭部の左右の側壁面には、該弧状浅溝に嵌まり込む小突起が設けられているので装飾部の回動が安定してスムースに行われる。
【００２２】
５）弧状の浅溝は、支持穴から半径Ｌの円周上にあり、支持軸と小突起の距離は、上記半径Ｒに等しいことにより、ガタつかない確実な装飾部の回動が行える。
【００２３】
６）弧状の浅溝の両端には、第１浅穴と第２浅穴とが設けられており、これらに小突起が嵌まり込むことで、露出状態と覆い状態とに区別されるものであるので、露出状態と覆い状態との的確な保持が可能である。
【００２４】
７）ガイド長溝が盛り上がり部に形成されていることにより、ガイド長溝や支持穴の深さを極力深くすることができ、そのため支持軸の長さも長くでき、嵌合力が増加する。よって装飾部の回動軸が安定する。
【００２５】
８）本体部に安定を良くするための拡大部を設けたことにより、携帯情報機器用充電器を起立させても倒れにくい。また電源コンセントに取り付けた場合にも安定する。
【００２６】
９）装飾部がキャラクタ形態を備えたものであるので、装飾性に富み、また装飾部が視認し易い。
【図面の簡単な説明】
【００２７】
【図１】図１は、実施形態に係る携帯情報機器用充電器を示す斜視図であり、（Ａ）は、接続端子が露出した状態、（Ｂ）は接続端子が覆われた状態を示す。
【図２】図２は、実施形態に係る本体部を示す斜視図である。
【図３】図３は、実施形態に係る本体部を示す図であり、（Ａ）は、正面図、（Ｂ）は側面図である。
【図４】図４は、実施形態に係る本体部を示す図であり、（Ａ）は、背面図、（Ｂ）は、底面図である。
【図５】図５は、実施形態に係る装飾部を示す斜視図である。
【図６】図６は、実施形態に係る装飾部を示す断面図であり、（Ａ）は、正面図、（Ｂ）は側面図である。
【図７】図７は、左右側の内壁面に形成された盛り上がり部、ガイド長溝、弧状の浅溝を説明する図である。
【図８】図８は、装飾部２が本体部に取り付けられた状態を示す側面図であり、（Ａ）は、接続端子１５が露出した状態を、（Ｂ）は端子が覆われた状態を示す。
【図９】図９は本体部の頭部の後方位置にキャラクタ形態を有する装飾部を配置した状態を示す図である。
【図１０】図１０は本体部の頭部に装飾部を取り付ける操作を説明する図であり、（Ａ）は本体部１の頭部に対して装飾部が一部だけ装着された状態、（Ｂ）は、装飾部が完全に装着された状態を示す。
【図１１】図１１は差込みプラグを回動させて引き出した状態の携帯情報機器用充電器を示す図である。
【図１２】図１２は携帯情報機器用充電器の差込みプラグを室内の壁面の電源コンセントに差し込んだ状態を示す図である。
【図１３】図１３は携帯情報機器用充電器を机の上に起立させた状態を示す図である。
【発明を実施するための形態】
【００２８】
以下、必要に応じて図面を参照しつつ、本発明の好適な実施形態について詳細に説明する。
なお、図面中、同一要素には同一符号を付すこととし、重複する説明は省略する。
また、図面の寸法比率は図示の比率に限られるものではない。
【００２９】
（実施形態）
本発明の携帯情報機器用充電器Ａは、携帯電話等の充電に使用するものである。
図１は、実施形態に係る携帯情報機器用充電器Ａを示す斜視図であり、（Ａ）は接続端子１５が露出した状態、（Ｂ）は接続端子１５が覆われた状態を示す。
図に示すように、この携帯情報機器用充電器は、本体部１と該本体部１に回動可能に取り付けられた装飾部２とよりなる。
図２は、実施形態に係る本体部１を示す斜視図である。
【００３０】
図３は、実施形態に係る本体部１を示す図であり、（Ａ）は、正面図、（Ｂ）は側面図である。
図４は、実施形態に係る本体部１を示す図であり、（Ａ）は、背面図、（Ｂ）は、底面図である。
【００３１】
本体部１は、上下縦長の直方体状であり、内部に充電装置部或いはＤＣ変換器等が装載されている。
これら組み込まれた装載装置は、本発明の特徴ではなく公知のものが使用されるので、以下詳しくは述べない。
【００３２】
本体部１の下端は一定の高さ幅で拡大部１３となっている。
そのため本体部１を台の上に起立させた際にも、倒れにくく安定したものとなる。
また本体部１の頭部１Ａが胴部より前後幅が小さくなっているが、これは、装飾部２を本体部１に対して、極力、小さくするためである。
【００３３】
本体部１の頭部の左右の側壁面は平面状になっており、各左右の側壁面にはそれぞれ２つずつの突起が設けられている。
その一つは支持軸１１（後述する装飾部２の左右の内壁面に設けられた支持穴に嵌め込まれる軸）であり、他の一つは小突起１２（後述する装飾部２の左右の内壁面に設けられた弧状溝に嵌まり込むための突起）である。
この小突起１２は支持軸１１より前方で且つ斜め上方の位置に設けられている(図２参照)。
【００３４】
また本体部１の下端の拡大部１３には差込みプラグ１４が設けられているが、拡大部１３に設けることで、差込みプラグ１４を収納する空間が十分に取れることとなる。
この差込みプラグ１４は非充電時には本体部１に収納されており、充電時には外部に突出させて使用する。  
【００３５】
この収納状態において差込みプラグ１４の先は、僅かにその一部分が外方に突出するようになっているので、ここに爪等を引掛けて動かし易い。
すなわち差込みプラグ１４は、拡大部１３に収納された状態から前方下方に９０度、回動させることにより下方に垂直に突き出た状態にすることができる。
この突き出た部分を爪等で引掛けることで差込みプラグ１４を容易に回動させることができる。
【００３６】
図５は、実施形態に係る装飾部２を示す斜視図である。
図６は、実施形態に係る装飾部２を示す図であり、（Ａ）は、正面図、（Ｂ）は側面図である。
【００３７】
装飾部２は携帯情報機器用充電器Ａに装飾性（キャラクタ、マスコット）を付与するもので、この実施形態の場合は、着色された板状体よりなる空洞の立方体で示した。
装飾部２の内壁面は上側の内壁面と左側及び右側の内壁面と後側の内壁面との４つの内壁面で形成されており、本体部１の頭部１Ａに取り付けられるようになっている。
換言すると装飾部２の空洞の内部空間は、上側の内壁面、左右側の内壁面、後側の内壁面の４つの内壁面に囲まれて区画形成されており、前側の内壁面は欠損している。
前側の内壁面が欠損されているので、後程説明するように、装飾部２を前方に回動させる際に支障とならない。
【００３８】
本体部１の頭部１Ａはこの内部空間に収納されるようにして装着される。
なお、本発明の装飾部というのは、意匠性や審美性のある形態を有する他、キャラクタ性、マスコット性のある形態を有するものをいう。
【００３９】
図７は、装飾部２の左右側の内壁面に形成された盛り上がり部、ガイド長溝２１、及び弧状浅溝２２を説明する図である。
この左右側の内壁面には、一定長さだけ盛り上がり部が形成されており、この盛り上がり部には直線状のガイド長溝２１(図でいう左右方向に)が設けられている。
またガイド長溝２１の端部付近には更に支持穴２１Ｂが設けられている。
盛り上がり部が形成されているのでガイド長溝２１や支持穴２１Ｂの深さを極力深くすることができ、そのため支持軸１１の長さも長くでき、嵌合力が増加する。よって装飾部２の回動軸が安定する。
支持軸１１がガイド長溝２１に嵌ってそのままスライドされ支持穴２１Ｂに嵌まり込むことによって装飾部２は本体部１に取り付けられる。
【００４０】
図８は、装飾部２が本体部１に取り付けられた状態を示す側面図であり、（Ａ）は、接続端子１５が露出した状態、（Ｂ）は接続端子１５が覆われた状態を示す。
装飾部２において、ガイド長溝２１の底面２１Ａは、内壁面より高い位置（図６参照）にあり、このガイド長溝２１の底面２１Ａの最初の部分は傾斜面２１Ａ１になっている。
すなわち内壁面から傾斜しながら徐々に底面２１Ａに続いている。
【００４１】
そのため後述するように、本体部１の支持軸１１がガイド長溝２１に徐々にスライドしながらスムースに嵌まり込むことができる。
また左右側の各内壁面にはガイド長溝２１の支持穴２１Ｂから一定距離（Ｌ）離れた位置に弧状に形成された弧状浅溝２２が設けられている。
【００４２】
この弧状浅溝２２には本体部１の頭部１Ａに設けられた小突起１２が嵌まり込むことができる。
この弧状浅溝２２は、支持穴２１Ｂを支点として一定半径（Ｒ）で描かれる円周上にある。
そして、この半径Ｒは、本体部１の頭部１Ａにおける支持軸１１と小突起１２の間隔と同じである。
【００４３】
一方、弧状浅溝２２の両端には浅穴（第１浅穴２２Ａ、第２浅穴２２Ｂ）が設けられている。
この弧状浅溝２２の両端にある各浅穴（第１浅穴２２Ａ、第２浅穴２２Ｂ）に、体部１１の頭部に設けられた小突起１２が嵌まり込むことにより、装飾部２の回動範囲が限定されることとなる。
そのため装飾部２が露出状態或いは覆い状態に的確に保持される。
【００４４】
本体部１と装飾部２とは上述のような構造なので、本体部１の支持軸１１と小突起１２、及び装飾部２のガイド長溝２１と弧状浅溝２２、との相互の嵌合関係により両者は取り付けられることとなり、本体部１に対する装飾部２の取り付けが、単に押し入れる操作だけで簡単に行える。
しかも装飾部２の回動がスムースに行われる。
更に装飾部２の回動により接続端子１５の露出状態と覆い状態との相互の切り変えが確実に行われる。
不使用時に、接続端子１５が装飾部２によって覆われることにより、ゴミ等が入らず、不用意に他の物に当って損傷するようなことがない。
【００４５】
ところで装飾部２は、主としてプラスチック樹脂を使って射出成型により作られるものであり、多少の弾性復元性を有する。
そのため力を加えることにより、左右側の内壁面同士の間隔が弾性変形によって広がるので、本体部１の支持軸１１や小突起１２を、それぞれ装飾部２の支持穴２１Ｂや弧状浅溝２２から抜け出させることが可能となる。
【００４６】
小突起１２を弧状浅溝２２から外し、更に支持軸１１をガイド長溝２１に沿ってスライドさせることにより、装飾部２と本体部１とは取り外される。
【００４７】
本体部１の支持軸１１と小突起１２に合わせて、装飾部２のガイド長溝２１と弧状浅溝２２とを設定することにより、例えば、異なるキャラクタを付与した装飾部２の付け替えが自由に可能となり、極めて汎用的である。
装飾部２は着色された板状体よりなる立方体で説明したが、立体的なキャラクタ形態とした方が装飾性の観点から好ましい。
【００４８】
次に本体部１に装飾部２を取り付ける際の操作について述べるが、ここでは装飾部２がキャラクタ形態を有する例で説明する。
【００４９】
（操作）
１）本体部１に装飾部２を取り付けるには、まず本体部１の頭部の後方位置に装飾部２を配置する。
図９は本体部１の頭部の後方位置にキャラクタ形態を有する装飾部２を配置した状態を示す図である。
【００５０】
２）次に装飾部２を前方に（図でいう左方に）押し込む、又は本体部１を後方に（図でいう右方に）押し込む。
この時、装飾部２は本体部１の頭部１Ａに被さる状態となり、装飾部２の左右側の内壁面は本体部１の頭部１Ａの左右の側壁面に沿って移動する。
【００５１】
３）この状態から更に前方に装飾部２を押し込む。
この場合、装飾部２の左右側の内壁面は本体部１の左右の側壁面に沿ってスライドする。
【００５２】
図１０は本体部１の頭部１Ａに装飾部２を取り付ける操作を説明する図であり、（Ａ）は本体部１の頭部１Ａに対して装飾部２が一部だけ、装着された状態、（Ｂ）は、装飾部２が完全に装着された状態を示す。
【００５３】
この場合、取り付ける際の抵抗の観点から、本体部１の小突起１２は、装飾部２の内壁面に接触しない方が好ましい。
装飾部２をスライドする （相対的に本体部１がスライドする）ことで、支持軸１１は、ガイド長溝２１の傾斜面２１Ａ１に沿って移動し、更にその底面２１Ａを通り、最後に支持穴２１Ｂに嵌る。
これと同時に、本体部１の頭部１Ａの小突起１２が弧状浅溝２２の端の第１浅穴２２Ａに嵌る。
【００５４】
４）これで、装飾部２と本体部１は一体に取り付けられたこととなる。
この場合、装飾部２の前壁面が欠損しているので、頭部１Ａの前面に設けられている接続端子１５が露出した状態にある。
ここで、下方にある差込みプラグ１４は拡大部１３に納まっているが、回動させて引き出すことにより本体部１から下方に突出する。
【００５５】
図１１は差込みプラグ１４を回動させて引き出した状態の携帯情報機器用充電器を示す図である。
【００５６】
また、図１２は携帯情報機器用充電器の差込みプラグ１４を室内の壁面の電源コンセントＢに差し込んだ状態を示す図である。
このように携帯情報機器用充電器の差込みプラグ１４が壁面の電源コンセントＢに差し込まれた状態では、頭部１Ａの接続端子１５は下方に向いている。
【００５７】
また、図のように装飾部２のキャラクタの顔が前方（壁側とは反対方向）を向くので視認し易い状態となる。
拡大部１３が広いため、電源コンセントＢに対して安定した固定力が得られる。
この状態で、別の接続具（例えば接続コード）Ｃを使って携帯情報機器（携帯電話等）Ｄを充電することができる。
充電が終わったら、壁面の電源コンセントＢから携帯情報機器用充電器を引き抜き、差込みプラグ１４を回動させて元に納める。
充電が終わった後は、装飾部２を前方に回動させて本体部１の接続端子１５を覆う（覆う状態）。
【００５８】
この過程で、本体部１の小突起１２は装飾部２の第１浅穴２２Ａに嵌っている状態から弧状の浅溝２２に沿って移動し第２浅穴２２Ｂに嵌る。
このように本体部１の小突起１２が第１浅穴２２Ａに嵌まり込んでいる時が、接続端子１５の露出状態で、小突起１２が第２浅穴２２Ｂに嵌まり込んでいる時が、接続端子１５の覆い状態である。
【００５９】
この装飾部２の回動は支持軸１１を起点として行われるが、弧状浅溝２２に小突起１２が嵌まり込んだ状態で、スライド回転動作が行われるので、装飾部２の回動が極めて安定したものとなる。
携帯情報機器用充電器を使用しない時は、接続端子１５を覆った状態で、例えば机の上に置いて起立させておくことができる。
【００６０】
図１３は携帯情報機器用充電器を机の上に起立させた状態を示す図である。
本体部下方の拡大部１３の面積が大きいので起立した場合に安定し倒れにくい。
以上、本発明の実施形態について説明したが、本発明は上記実施形態に限定されるものではない。
【００６１】
本体部１に充電装置を搭載したものを使うと、差込みプラグ１４を家庭用の電源コンセントＢに差し込まなくても携帯電話に充電することが可能である。
拡大部１３の形状は本体部１を安定して起立させておければよく、その意味で、この部分の重量を重くして安定を良くすることも可能である。
装飾部２は、木製でもよく、加工できればセラミックでも採用可能である。
【産業上の利用可能性】
【００６２】
本発明の携帯情報機器用充電器Ａは、上方に接続端子１５を下方に差込みプラグ１４を有する直方体状の本体部１と該本体部１に回動可能に取り付けられた装飾部２とよりなり、接続端子１５が装飾部２の回動によって露出状態と覆い状態とに切り替えが可能である。
【符号の説明】
【００６３】
１・・・本体部
１１・・・支持軸
１２・・・小突起
１３・・・拡大部
１４・・・差込みプラグ
１５・・・接続端子
２・・・装飾部
２１・・・ガイド長溝
２１Ａ・・・底面
２１Ａ１・・・傾斜面
２１Ｂ・・・支持穴
２２・・・弧状浅溝
２２Ａ・・・第１浅穴
２２Ｂ・・・第２浅穴
Ａ・・・携帯情報機器用充電器
Ｂ・・・コンセント
Ｃ・・・接続コード
Ｄ・・・携帯情報機器
【図１】
2015231300.tif 000003
【図２】
2015231300.tif 000004
【図３】
2015231300.tif 000005
【図４】
2015231300.tif 000006
【図５】
2015231300.tif 000007
【図６】
2015231300.tif 000008
【図７】
2015231300.tif 000009
【図８】
2015231300.tif 000010
【図９】
2015231300.tif 000011
【図１０】
2015231300.tif 000012
【図１１】
2015231300.tif 000013
【図１２】
2015231300.tif 000014
【図１３】
2015231300.tif 000015